(57)【要約】【課題】投射光学装置を保護するためのレンズカバーを備えたプロジェクタであって、レンズカバーをスライド移動させるにあたっての操作性を向上させたプロジェクタ。【解決手段】外装筐体は、投射光学装置から拡大投射する光束を通過させる前面開口部を備え、スライド移動して前面開口部の開口状態を閉塞状態とするレンズカバー部９４１を具備する遮蔽部材９４を備える。遮蔽部材９４には、外装筐体側に設けられた案内面９３１と相対的に移動可能な遮蔽位置案内部材９６が設けられている。遮蔽位置案内部材９６は、コイルばね９６１と、案内面９３１を転動するスチールボール９６２とを備えて構成される。【選択図】図５
2008268716.tif 000002
【特許請求の範囲】
【請求項１】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、
前記外装筐体は、前記投射光学装置から拡大投射する光束を通過させる光束通過用開口部を備え、
スライド移動して前記光束通過用開口部の開口状態を閉塞状態とするレンズカバー部を具備する遮蔽部材を備え、
前記遮蔽部材には、前記外装筐体側に設けられた案内面と相対的に移動可能で、弾性を有する部材を圧縮変形させた状態で、一端が前記遮蔽部材の一部に支持され他端が前記案内面に当接する遮蔽位置案内部材が設けられていることを特徴とするプロジェクタ。
【請求項２】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、
前記外装筐体は、前記投射光学装置から拡大投射する光束を通過させる光束通過用開口部を備え、
スライド移動して前記光束通過用開口部の開口状態を閉塞状態とするレンズカバー部を具備する遮蔽部材を備え、
前記外装筐体側には、前記遮蔽部材に設けられた案内面と相対的に移動可能で、弾性を有する部材を圧縮変形させた状態で、一端が前記外装筐体側の一部に支持され他端が前記案内面に当接する遮蔽位置案内部材が設けられていることを特徴とするプロジェクタ。
【請求項３】
請求項１または請求項２に記載のプロジェクタにおいて、
前記遮蔽位置案内部材は、前記一端側に弾性部材が配され、前記他端側に前記案内面を転動する転動部材が配されて構成されていることを特徴とするプロジェクタ。
【請求項４】
請求項３に記載のプロジェクタにおいて、
前記案内面は、板状に形成された案内板部の側部で構成され、
前記遮蔽位置案内部材が設けられた、前記遮蔽部材および前記外装筐体側のいずれかには、前記遮蔽位置案内部材の前記スライド移動方向への移動を規制し、前記遮蔽位置案内部材を内部に保持する保持筐体が設けられ、
前記保持筐体には、前記案内板部の前記側部をスライド移動可能に内部に入り込ませる切り欠き凹部が設けられ、
前記遮蔽位置案内部材の前記他端は、前記保持筐体の内部で前記案内面と相対的に移動可能に当接していることを特徴とするプロジェクタ。
【請求項５】
請求項１から請求項４のいずれかに記載のプロジェクタにおいて、
前記遮蔽部材が、前記光束通過用開口部が前記開口状態になる近くの位置と、前記光束通過用開口部が前記閉塞状態になる近くの位置とに存する場合の、
前記遮蔽位置案内部材の前記他端と当接する前記案内面には、前記開口状態および前記閉塞状態になるにつれて、前記遮蔽位置案内部材の圧縮方向とは反対の方向に逃げるように傾斜する傾斜面が形成されていることを特徴とするプロジェクタ。
【請求項６】
請求項５に記載のプロジェクタにおいて、
前記傾斜面は、前記光束通過用開口部が前記開口状態および前記閉塞状態となるにつれて、次第に傾斜角度が大きくなるように形成されていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調し、変調した光束を投射レンズ（投射光学装置）にて拡大投射するプロジェクタが知られている。この種のプロジェクタには、投射レンズの保護を目的として、投射レンズの前段側を覆うようにレンズカバーが設けられたものが知られている（例えば、特許文献１、特許文献２参照）。
【０００３】
ところで、開示されるプロジェクタのレンズカバーは、投射レンズから画像光を投射可能に開口する開位置と、投射レンズの保護するように閉塞する閉位置とを有して、この間をスライド移動できるように構成されている。なお、レンズカバーのスライド移動は、操作者が任意により行う手動式が採用されている。
【０００４】
【特許文献１】特開２００６−２０１６４６号公報
【特許文献２】特開平１１−３１６４１６号公報
【発明の開示】
【発明が解決しようとする課題】
【０００５】
開示される技術においては、操作者は、レンズカバーが確実に開位置もしくは閉位置となるまで、レンズカバーのスライド移動に配慮することが必要となっており、操作性に優れないと指摘する声があった。
【０００６】
本発明は、このような事情に鑑みなされたものであって、その目的は、投射光学装置を保護するためのレンズカバーを備えたプロジェクタであって、レンズカバーをスライド移動させるにあたっての操作性を向上させたプロジェクタを提供することにある。
【課題を解決するための手段】
【０００７】
上述した課題を解決するための手段として、本発明に係るプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、前記外装筐体は、前記投射光学装置から拡大投射する光束を通過させる光束通過用開口部を備え、スライド移動して前記光束通過用開口部の開口状態を閉塞状態とするレンズカバー部を具備する遮蔽部材を備え、前記遮蔽部材には、前記外装筐体側に設けられた案内面と相対的に移動可能で、弾性を有する部材を圧縮変形させた状態で、一端が前記遮蔽部材の一部に支持され他端が前記案内面に当接する遮蔽位置案内部材が設けられていることを特徴とする。
【０００８】
このプロジェクタによれば、遮蔽部材には、外装筐体側に設けられた案内面と相対的に移動可能で、弾性を有する部材を圧縮変形させた状態で、一端が遮蔽部材の一部に支持され他端が案内面に当接する遮蔽位置案内部材が設けられているので、遮蔽部材は、遮蔽位置案内部材により、外装筐体側に備えられる案内面に沿って好適に案内されながらスライド移動することができる。これによって、遮蔽部材を滑らかに且つ安定的にスライド移動させることができて、操作性の向上したものとなる。
【０００９】
また、本発明に係るプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納する外装筐体とを備えたプロジェクタであって、前記外装筐体は、前記投射光学装置から拡大投射する光束を通過させる光束通過用開口部を備え、スライド移動して前記光束通過用開口部の開口状態を閉塞状態とするレンズカバー部を具備する遮蔽部材を備え、前記外装筐体側には、前記遮蔽部材に設けられた案内面と相対的に移動可能で、弾性を有する部材を圧縮変形させた状態で、一端が前記外装筐体側の一部に支持され他端が前記案内面に当接する遮蔽位置案内部材が設けられていることを特徴とする。
【００１０】
このプロジェクタによれば、外装筐体側には、遮蔽部材に設けられた案内面と相対的に移動可能で、弾性を有する部材を圧縮変形させた状態で、一端が外装筐体側の一部に支持され他端が案内面に当接する遮蔽位置案内部材が設けられているので、遮蔽部材は、遮蔽位置案内部材により、遮蔽部材に備えられる案内面に沿って好適に案内されながらスライド移動することができる。これによって、遮蔽部材を滑らかに且つ安定的にスライド移動させることができて、操作性の向上したものとなる。
【００１１】
また、本発明に係るプロジェクタは、上述のプロジェクタにおいて、前記遮蔽位置案内部材は、前記一端側に弾性部材が配され、前記他端側に前記案内面を転動する転動部材が配されて構成されていることが好ましい。
このプロジェクタによれば、遮蔽位置案内部材は、一端側に弾性部材が配され、前記他端側に前記案内面を転動する転動部材が配されて構成されているので、他端側に配された転動部材が案内面上を転動する。この転動によって、遮蔽位置案内部材は、この案内面上を滑らかに移動することができ、遮蔽部材を好適に案内しながらスライド移動させることができる。したがって、遮蔽部材のスライド移動の操作性を向上させることができる。
【００１２】
また、本発明に係るプロジェクタは、上述のプロジェクタにおいて、前記案内面は、板状に形成された案内板部の側部で構成され、前記遮蔽位置案内部材が設けられた、前記遮蔽部材および前記外装筐体側のいずれかには、前記遮蔽位置案内部材の前記スライド移動方向への移動を規制し、前記遮蔽位置案内部材を内部に保持する保持筐体が設けられ、前記保持筐体には、前記案内板部の前記側部をスライド移動可能に内部に入り込ませる切り欠き凹部が設けられ、前記遮蔽位置案内部材の前記他端は、前記保持筐体の内部で前記案内面と相対的に移動可能に当接していることが好ましい。
【００１３】
このプロジェクタによれば、案内面は、板状に形成された案内板部の側部で構成され、保持筐体には、案内板部の側部をスライド移動可能に内部に入り込ませる切り欠き凹部が設けられ、遮蔽位置案内部材の他端は保持筐体の内部で案内面と相対的に移動可能に当接しているので、案内板部のスライド移動方向以外の方向の動きを、保持筐体によって規制することができる。
これによって、案内板部に対して遮蔽部材を、また、遮蔽部材に対して案内板部を、スライド移動方向と交差する方向等にがたつかせることなく、滑らかかつ安定的にスライド移動させることができる。したがって、遮蔽部材のスライド移動の操作性を向上させることができる。
【００１４】
また、本発明に係るプロジェクタは、上述のプロジェクタにおいて、前記遮蔽部材が、前記光束通過用開口部が前記開口状態になる近くの位置と、前記光束通過用開口部が前記閉塞状態になる近くの位置とに存する場合の、前記遮蔽位置案内部材の前記他端と当接する前記案内面には、前記開口状態および前記閉塞状態になるにつれて、前記遮蔽位置案内部材の圧縮方向とは反対の方向に逃げるように傾斜する傾斜面が形成されていることが好ましい。
【００１５】
このプロジェクタによれば、遮蔽位置案内部材の他端と当接する案内面には、光束通過用開口部が開口状態および閉塞状態になるにつれて、遮蔽位置案内部材の圧縮方向とは反対の方向に逃げるように傾斜する傾斜面が形成されているので、遮蔽位置案内部材は、弾性を有する部材の復元力により、光束通過用開口部が開口状態および閉塞状態となるまで、傾斜した案内面上を自動的に移動していく。
すなわち、遮蔽部材が、光束通過用開口部が開口状態および閉塞状態となりそうな近くの位置に存している場合には、光束通過用開口部が完全に開口状態および閉塞状態となるまで、遮蔽部材を自動的に移動させることができる。これによって、光束通過用開口部が半開き状態になってしまうことなく、確実に開口状態および閉塞状態となるように遮蔽部材をスライド移動させることができる。したがって、光束通過用開口部が開口状態となっているか閉塞状態となっているかの操作者の配慮を軽減させることができ、操作性の向上したものとなる。
【００１６】
また、本発明に係るプロジェクタは、上述のプロジェクタにおいて、前記傾斜面は、前記光束通過用開口部が前記開口状態および前記閉塞状態となるにつれて、次第に傾斜角度が大きくなるように形成されていることが好ましい。
このプロジェクタによれば、傾斜面が、光束通過用開口部が開口状態および閉塞状態になるにつれて、次第に傾斜角度が大きくなるように形成されているので、光束通過用開口部が開口状態および閉塞状態となるにつれて、弾性を有する部材の復元力を大きくさせることができる。
これによって、光束通過用開口部が開口状態および閉塞状態となるように、遮蔽部材をより確実に且つ軽い力でスライド移動させることができる。したがって、光束通過用開口部が開口状態となっているか閉塞状態となっているかの操作者の配慮を、さらに軽減させることができ、操作性の向上したものとなる。
【発明を実施するための最良の形態】
【００１７】
［第１実施形態］
以下、本発明に係るプロジェクタの実施の形態について、図面を参照しながら説明する。なお、以下においては、説明の便宜上、プロジェクタ１からの画像光の投射方向をＺ軸とし、該Ｚ軸に直交する２つの軸をそれぞれＸ軸（水平軸）およびＹ軸（鉛直軸）とする。以下の図も同様である。
【００１８】
図１は、プロジェクタ１の外観を模式的に示す外観模式図である。図２は、プロジェクタ１の内部を示す内部斜視図である。
プロジェクタ１は、光源装置から射出された光束を画像情報に応じて光変調装置にて変調して画像光を形成し、形成された画像光を投射光学装置にてスクリーンに拡大投射するものである。
プロジェクタ１は、図１および図２に示すように、外装筐体２、画像投射装置Ｇ、冷却装置５、電源装置６、ランプ駆動装置（バラスト）７、排気ファンユニット８、および図示しない制御基板等を備えて大略構成される。また、画像投射装置Ｇは、投射光学装置３、光学ユニット４を備えて構成される。なお、図示しない制御基板は、光学ユニット４、冷却装置５、電源装置６、ランプ駆動装置（バラスト）７、および排気ファンユニット８と電気的に接続され、これらを制御する。
【００１９】
外装筐体２は、図１および図２に示すように、略直方体形状を有する箱状の筐体で構成される。外装筐体２は、プロジェクタ１における天面（＋Ｙ軸方向側の面）部分、前面（＋Ｚ軸方向側の面）部分、側面（Ｘ軸方向に交差する各面）部分、および背面（−Ｚ軸方向側の面）部分を形成するアッパーケース２１と、プロジェクタ１における底面（−Ｙ軸方向側の面）部分を形成するロアーケース２２とを備える。
【００２０】
図１に示すように、外装筐体２の前面部分には、投射光学装置３からスクリーンに画像光の光束を投射可能に通過させる、光束通過用開口部としての前面開口部２１１が設けられている。また、外装筐体２の天面部分には、投射位置調整装置３１の操作ダイアル３２を外部に露出させる第１操作用開口部２１２Ａが設けられているとともに、画像調整操作部３３を外部に露出させる露出用開口部としての第２操作用開口部２１２Ｂが設けられている。なお、後において詳述するが、前面開口部２１１および第２操作用開口部２１２Ｂは、遮蔽機構９０（図４等参照）により開け閉めされる。
【００２１】
さらに、外装筐体２の側面部分の−Ｚ軸方向側には、プロジェクタ１内部に外気を吸入するために開口した吸気口２１３が設けられている。なお、この吸気口２１３には、図２に示すように、吸気口２１３を介してプロジェクタ１（外装筐体２）内部に異物が侵入することを防止する除塵フィルタ２１４が、取り付けられている。
【００２２】
投射光学装置３は、具体的な図示を省略するが、複数のレンズと、この複数のレンズを収納する筒状の鏡筒とで構成され、光学ユニット４により形成された画像光を拡大投射する。投射光学装置３は、前記複数のレンズを投射方向（＋Ｚ軸方向）と直交する平面内で移動させて投射される画像光の位置を調整する投射位置調整装置３１を備える。また、鏡筒は、筒状軸を中心として回転することで前記複数のレンズの相対位置を変更可能に構成され、スクリーン上に拡大投射される画像を調整する画像調整操作部３３を備える。
【００２３】
図３は、プロジェクタを模式的に示す模式図であり、特に光学ユニット４の光学系について詳細に示している。
光学ユニット４は、図３に示すように、平面視略Ｌ字形状を有し、前記制御基板による制御の下、光源装置から射出された光束を光学的に処理して画像情報に対応した画像光を形成するユニットである。
この光学ユニット４は、図３に示すように、光源装置４１と、均一照明光学装置４２と、色分離光学装置４３と、リレー光学装置４４と、光学装置４５と、光学部品用筐体４６とを備える。
【００２４】
光源装置４１は、前記制御基板による制御の下、均一照明光学装置４２に向けて光束を射出する。この光源装置４１は、図３に示すように、光源としての光源ランプ４１１およびリフレクタ４１２を有する光源装置本体４１Ａと、平行化レンズ４１３と、これら各部材４１１〜４１３を内部に収納して一体化するハウジング部材４１４とを備えて構成される。光源ランプ４１１は、図２および図３に示すように、＋Ｘ軸方向に沿う方向に、光束を射出する。
【００２５】
均一照明光学装置４２は、光源装置４１から射出された光束を、光学装置４５を構成する光変調装置としての液晶パネル４５１の画像形成領域に略均一に照明するための光学系である。この均一照明光学装置４２は、図３に示すように、第１レンズアレイ４２１と、第２レンズアレイ４２２と、偏光変換素子４２３と、重畳レンズ４２４とを備える。また、フィールドレンズ４２５は、第２レンズアレイ４２２から射出された各部分光束をその中心軸（主光線）に対して平行な光束に変換する。
【００２６】
色分離光学装置４３は、図３に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。ダイクロイックミラー４３１では、赤色光が分離され、赤色光は反射ミラー４３３で反射されて液晶パネル４５１Rへ導かれる。ダイクロイックミラー４３２では緑色光と青色光が分離され、緑色光は液晶パネル４５１Ｇへ導かれる。
【００２７】
リレー光学装置４４は、図３に示すように、入射側レンズ４４１、リレーレンズ４４３、および反射ミラー４４２，４４４を備え、色分離光学装置４３で分離された青色光を光学装置４５の液晶パネル４５１Ｂまで導く機能を有している。
【００２８】
光学装置４５は、光源装置４１から射出され入射する光束を画像情報に応じて変調して画像光（カラー画像）を形成するものである。この光学装置４５は、図３に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２９】
冷却装置５は、外気を、吸気口２１３を介して外装筐体２（プロジェクタ１）内部に冷却風として導入し、冷却風としての外気をプロジェクタ１内部の冷却対象に吹き当てて冷却するものである。具体的には、冷却装置５は、外装筐体２の吸気口２１３と連通状態で接続される吸気口側ダクト５１と、この吸気口側ダクト５１に接続され吸引風を発生する２つのシロッコファン５２（一方のみ図示）と、この２つのシロッコファン５２のそれぞれに接続され発生させた冷却風（外気）を冷却対象に導く２つの吐出側ダクト５３（一方のみ図示）を備えて構成される。
【００３０】
電源装置６は、プロジェクタ１を構成する各構成装置（例えば、光源ランプ４１１、前記制御基板等）に電力を供給するものである。電源装置６は、図２に示すように、略直方体形状を有して構成される。この電源装置６は、平面視略Ｌ字形状に構成された光学ユニット４のＬ字の内側部分に配されてロアーケース２２に設置されている。
また、ランプ駆動回路（バラスト）７は、光源装置４１を構成する光源ランプ４１１を駆動させる回路であり、平面視略Ｌ字形状に構成された光学ユニット４の外側に配設される。
また、排気ファンユニット８は、プロジェクタ１内部に滞留する温められた空気を吸気し、外装筐体２に設けられた排気口（不図示）を介してプロジェクタ１外部に排気するものであり、詳細については図示しないが、軸流ファンとダクトとを備えて構成される。
【００３１】
次に、前面開口部２１１および第２操作用開口部２１２Ｂを開け閉めする遮蔽機構９０について説明する。図４は、アッパーケース２１の内部側を示す斜視図である。図５は、遮蔽機構９０を示す分解斜視図である。図６は、遮蔽機構９０の内部側を示す斜視図である。図７は、遮蔽部材９４を省略して遮蔽機構９０を示す上平面図である。
遮蔽機構９０は、上述した前面開口部２１１および第２操作用開口部２１２Ｂを、開口状態もしくは閉塞状態とするためのものであって、図４に示すように、前面開口部２１１のアッパーケース２１の内部側に適宜にねじ留めされて取り付けられる。
【００３２】
遮蔽機構９０は、図５および図６に示すように、アッパーケース２１内部に取り付けられる保持部材９１と、保持部材９１に取り付けられるレール案内部９２と、保持部材９１にスライド移動可能に保持される遮蔽部材９４とを具備して大略構成される。また、レール案内部９２は、レール部９２１と、案内板部９３とを備える。なお、遮蔽部材９４は、外装筐体の前面部に沿った±Ｘ軸方向でスライド移動する。
【００３３】
保持部材９１は、具体的には、外装筐体２の前面部分の内部側に沿う前面部９１１と、外装筐体２の天面部分の内部側に沿う天面部９１２とを備え、Ｚ軸方向断面視略Ｌ字状に形成される。
保持部材９１の前面部９１１の＋Ｘ軸方向側には、アッパーケース２１の前面開口部２１１と連通するように平面視円状で開口された投射用開口部９１３が設けられている。また、この投射用開口部９１３に隣接する前面部９１１の−Ｘ軸方向側は、アッパーケース２１の前面部に沿ってＸＹ平面に延びる平板状に形成されている。
【００３４】
保持部材９１の天面部９１２の＋Ｘ軸方向側には、アッパーケース２１の第２操作用開口部２１２Ｂと連通するように平面視矩形状で開口された操作開口部９１４が設けられている。また、操作開口部９１４の上方（＋Ｙ軸方向側）には、レール部９２１を保持するためのレール部材保持部９１５が設けられている。また、操作開口部９１４に隣接する天面部９１２の−Ｘ軸方向側は、案内板部９３を収納するように、Ｚ軸方向断面視凹状に形成された凹状部９１６が設けられている。なお、レール部材保持部９１５および凹状部９１６には、レール部９２１および案内板部９３を構成するレール案内部９２を螺着させるために設けられた雌ネジ部９１７が設けられている。
【００３５】
また、この保持部材９１の天面部９１２の−Ｘ軸方向の隅には、接点検出スイッチ９９が設けられている。この接点検出スイッチ９９は、前面開口部２１１および第２操作用開口部２１２Ｂが開口状態となった場合に、遮蔽部材９４の−Ｘ軸方向側端となる接触端部９４５（図５等参照）が接触して、前面開口部２１１および第２操作用開口部２１２Ｂが開口状態となったことを検出するためのものである。
【００３６】
レール部９２１は、図５〜図７に示すように、遮蔽部材９４をがたつきなくスライド移動させるためのものであって、遮蔽部材９４の屈曲部９４３に沿うようにＸ軸方向に延在した形状を有し、遮蔽部材９４のレール嵌合部９４４（図８参照）が摺動可能に嵌め合わされる。レール部９２１には、保持部材９１のレール部材保持部９１５に装着させるためのネジ孔９２５が設けられている。レール部９２１は、このネジ孔９２５にネジ部材９８を挿入し保持部材９１の雌ネジ部９１７に螺合させることにより、保持部材９１のレール部材保持部９１５に装着される。
【００３７】
案内板部９３は、図５〜図７に示すように、遮蔽部材９４のスライド移動を案内するためのものであって、−Ｚ軸方向側の側部を案内面９３１として板状に形成される。案内板部９３には、保持部材９１の凹状部９１６に装着させるためのネジ孔９３５が設けられている。案内板部９３は、このネジ孔９３５にネジ部材９８を挿入し保持部材９１の雌ネジ部９１７に螺合させることにより、保持部材９１の凹状部９１６に装着される。
【００３８】
案内板部９３の案内面９３１は、後に説明する遮蔽位置案内部材９６と相対的に移動可能に、遮蔽位置案内部材９６を構成するスチールボール９６２が当接する面であって、図７に示すように、案内平面部９３２と、この案内平面部９３２の両端に位置される案内傾斜面部９３３（９３３Ａ，９３３Ｂ）とを備えて構成される。すなわち、案内平面部９３２は、案内面９３１の中間部に位置し、遮蔽部材９４のスライド移動方向に沿った±Ｘ軸方向に所定距離延びて形成される。また、案内傾斜面部９３３は、案内平面部９３２を挟んで案内面９３１の両端に設けられる傾斜面であって、案内平面部９３２と連なり−Ｘ軸方向側に位置する第１傾斜面部９３３Ａと、案内平面部９３２と連なり＋Ｘ軸方向側に位置する第２傾斜面部９３３Ｂとにより構成される。
【００３９】
この案内傾斜面部９３３は、案内面９３１のうち、前面開口部２１１および第２操作用開口部２１２Ｂが、開口状態となる近くに存する場合と閉塞状態となる近くに存する場合とにおいて、スチールボール９６２が当接する面である。
なお、符号９３３Ｃは、図１に示す前面開口部２１１および第２操作用開口部２１２Ｂが開口状態となった場合に、スチールボール９６２が当接する開口状態当接位置である。また、符号９３３Ｄは、前面開口部２１１および第２操作用開口部２１２Ｂが閉塞状態となった場合に、スチールボール９６２が当接する閉塞状態当接位置である。
【００４０】
具体的には、第１傾斜面部９３３Ａは、案内平面部９３２の一端９３３Ｅから−Ｘ軸方向の開口状態当接位置９３３Ｃに向かうに従って、＋Ｚ軸方向に逃げるように傾斜している。また、第１傾斜面部９３３Ａは、開口状態当接位置９３３Ｃに向かうに従って、次第に傾斜角度（＋Ｚ軸方向の逃げ）が大きくなるような曲面形状を有して形成されている。
また、第２傾斜面部９３３Ｂは、案内平面部９３２の他端９３３Ｆから＋Ｘ軸方向の閉塞状態当接位置９３３Ｄに向かうに従って、＋Ｚ軸方向に逃げるように傾斜している。また、第２傾斜面部９３３Ｂも、閉塞状態当接位置９３３Ｄに向かうに従って、次第に傾斜角度（＋Ｚ軸方向の逃げ）が大きくなるような曲面形状を有して形成されている。
【００４１】
遮蔽部材９４は、スライド移動することにより、前面開口部２１１および第２操作用開口部２１２Ｂを、開口状態としたり、閉塞状態としたりするものである。
具体的には、遮蔽部材９４は、図５〜図７に示すように、スライド移動して前面開口部２１１の開口状態を閉塞状態とするレンズカバー部９４１と、第２操作用開口部２１２Ｂの開口状態を閉塞状態とする開口遮蔽部９４２とを備えて構成される。このレンズカバー部９４１と、開口遮蔽部９４２とは、屈曲部９４３を有して一体化され、遮蔽部材９４を構成している。なお、遮蔽部材９４は、±Ｘ軸方向でスライド移動するものであり、−Ｘ軸方向側に位置する状態で、前面開口部２１１および第２操作用開口部２１２Ｂは開口状態となり、＋Ｘ軸方向側に位置する状態で、前面開口部２１１および第２操作用開口部２１２Ｂは閉塞状態となる。
【００４２】
レンズカバー部９４１は、前面開口部２１１を閉塞するものであって、図示するように、前面開口部２１１の形状を有して形成される。すなわち、レンズカバー部９４１は、ＸＹ平面に延びる板状に形成され、＋Ｘ軸方向側においては、前面開口部２１１の形状に合わせた半円形状を有し、−Ｘ軸方向側においては、保持部材９１の前面部９１１に合わせた略矩形形状を有して構成される。
【００４３】
開口遮蔽部９４２は、第２操作用開口部２１２Ｂを閉塞するものであって、図示するように、第２操作用開口部２１２Ｂを覆うことができる、ＸＺ平面に延びる矩形形状を有した略板状で形成される。また、開口遮蔽部９４２の上面の＋Ｘ軸方向側には、操作者の指がひっかかり易いように突起した操作凸部９４２１が設けられている。
【００４４】
図８は、遮蔽機構９０の一部を示す斜視図である。図９は、遮蔽部材９４および遮蔽位置案内部材９６を示す斜視図である。図１０は、遮蔽機構９０に関してのＺ軸方向断面を示す拡大断面図である。
図８および図９に示すように、開口遮蔽部９４２の−Ｘ軸方向側には、その下面側において略筐体状に突出して形成された保持筐体９５と、この保持筐体９５の内部に収納保持される遮蔽位置案内部材９６が設けられている。
【００４５】
保持筐体９５は、遮蔽位置案内部材９６を、スライド移動方向（±Ｘ軸方向）への移動を規制しながら±Ｚ軸方向に揺動することができるように収納保持するものである。具体的には、保持筐体９５は、図８〜図１０に示すように、＋Ｚ軸方向側を開口し、該Ｚ軸方向に延びる略円筒状の収納部９５１を有して形成される。
また、保持筐体９５のＸ軸方向の両側壁には、図８〜図１０に示すように、開口側から水平方向（−Ｚ軸方向）に切り欠かれる切り欠き凹部９５２が設けられている。この切り欠き凹部９５２は、案内面９３１側の案内板部９３をスライド移動可能に内部に入り込ませるものであって、案内板部９３の厚み寸法に合わせた寸法で切り欠かれて形成されている。
【００４６】
また、遮蔽位置案内部材９６は、弾性部材としてのコイルばね９６１と、案内面９３１を転動する転動部材としてのスチールボール９６２とを備えて構成される。
遮蔽位置案内部材９６は、一端側とされる−Ｚ軸方向側にコイルばね９６１を配し、他端側とされる＋Ｚ軸方向側にスチールボール９６２を配して、保持筐体９５の収納部９５１に収納保持される。すなわち、図１０に示すように、コイルばね９６１の−Ｚ軸方向側の端部は、保持筐体９５の内面で支持され、コイルばね９６１の＋Ｚ軸方向側の端部にはスチールボール９６２が配され、スチールボール９６２は保持筐体９５の内部に入り込んだ案内面９３１に当接する。なお、このスチールボール９６２が、保持筐体９５の内部に入り込んだ案内面９３１と当接している状態においては、コイルばね９６１は、圧縮変形した状態となっている。
【００４７】
以上のように構成されたプロジェクタ１は、次のような作用効果を奏することができる。
図１１（Ａ）は、前面開口部２１１および第２操作用開口部２１２Ｂが開口状態となっている場合の遮蔽機構９０に関する模式図である。図１１（Ｂ）は、前面開口部２１１および第２操作用開口部２１２Ｂが半開き状態となっている場合の、遮蔽機構９０に関する模式図である。図１１（Ｃ）は、前面開口部２１１および第２操作用開口部２１２Ｂが閉塞状態となっている場合の遮蔽機構９０に関する模式図である。
【００４８】
前面開口部２１１および第２操作用開口部２１２Ｂを開口状態にしようと、操作者が遮蔽部材９４を−Ｘ軸方向に移動させた場合には、次のような作用を奏する。
すなわち、第１傾斜面部９３３Ａは、コイルばね９６１の圧縮変形方向とは反対の方向（＋Ｚ軸方向）に逃げるように傾斜しているので、遮蔽位置案内部材９６のスチールボール９６２が、第１傾斜面部９３３Ａまで到達すると、圧縮変形していたコイルばね９６１の復元力により、スチールボール９６２は、前面開口部２１１および第２操作用開口部２１２Ｂを開口状態とするまで、−Ｘ軸方向に第１傾斜面部９３３Ａを自動的に転動していく。
【００４９】
つまり、図１１（Ａ）に示すように、前面開口部２１１および第２操作用開口部２１２Ｂの開口状態の近くに遮蔽部材９４が存する場合には、遮蔽部材９４は、前面開口部２１１および第２操作用開口部２１２Ｂが完全に開口状態となるまで、外装筐体２側となる案内板部９３の案内面９３１に沿って好適に案内しながら自動的かつ滑らかに移動する。
これによって、前面開口部２１１および第２操作用開口部２１２Ｂが半開き状態になってしまうことなく、確実に開口状態とすることができる。したがって、操作者の開口状態となっているかの配慮を軽減し、操作性の向上したものとなる。
【００５０】
一方、前面開口部２１１および第２操作用開口部２１２Ｂを閉塞状態にしようと、操作者が遮蔽部材９４を＋Ｘ軸方向に移動させた場合には、次のような作用を奏する。
すなわち、第２傾斜面部９３３Ｂは、コイルばね９６１の圧縮変形方向とは反対の方向（＋Ｚ軸方向）に逃げるように傾斜しているので、遮蔽位置案内部材９６のスチールボール９６２が、第２傾斜面部９３３Ｂまで到達すると、圧縮変形していたコイルばね９６１の復元力により、スチールボール９６２は、前面開口部２１１および第２操作用開口部２１２Ｂを閉塞状態とするまで、＋Ｘ軸方向に第２傾斜面部９３３Ｂを自動的に転動していく。
【００５１】
つまり、図１１（Ｃ）に示すように、前面開口部２１１および第２操作用開口部２１２Ｂの閉塞状態の近くに遮蔽部材９４が存する場合には、遮蔽部材９４は、前面開口部２１１および第２操作用開口部２１２Ｂが完全に閉塞状態となるまで、外装筐体２側となる案内板部９３の案内面９３１に沿って好適に案内しながら自動的かつ滑らかに移動する。
これによって、前面開口部２１１および第２操作用開口部２１２Ｂが半開き状態になってしまうことなく、確実に閉塞状態とすることができる。したがって、操作者の閉塞状態となっているかの配慮を軽減し、操作性の向上したものとなる。
【００５２】
他方、前面開口部２１１および第２操作用開口部２１２Ｂを開口状態とするか閉塞状態するかの中間位置においては、図１１（Ｂ）に示すように、遮蔽部材９４は、前面開口部２１１および第２操作用開口部２１２Ｂを開口状態とする方向（−Ｘ軸方向）、および前面開口部２１１および第２操作用開口部２１２Ｂを閉塞状態とする方向（＋Ｘ軸方向）の何れの方向においても、自動的に移動することがない。これによって、遮蔽部材９４は、操作者の意に反して移動してしまうことがないので、操作性が損なわれることがない。
【００５３】
また、このプロジェクタ１によれば、第１傾斜面部９３３Ａおよび第２傾斜面部９３３Ｂが、前面開口部２１１および第２操作用開口部２１２Ｂが開口状態および閉塞状態になるにつれて、次第に傾斜角度が大きくなる曲面形状を有して形成されているので、前面開口部２１１および第２操作用開口部２１２Ｂとなるにつれて、コイルばね９６１の復元力を大きくさせることができて、前面開口部２１１および第２操作用開口部２１２Ｂが開口状態および閉塞状態となるまで、より確実に遮蔽部材９４をスライド移動させることができる。
したがって、操作者は、前面開口部２１１および第２操作用開口部２１２Ｂを、軽い力で確実に開口状態および閉塞状態とすることができて、操作性の向上したものとなる。
【００５４】
さらに、このプロジェクタ１によれば、案内面９３１は、板状に形成された案内板部９３の側部で構成され、保持筐体９５には、案内板部９３の側部をスライド移動可能に内部に入り込ませる切り欠き凹部９５２が設けられ、遮蔽位置案内部材９６のスチールボール９６２は保持筐体９５の内部で案内面９３１と転動可能に当接しているので、案内板部９３のスライド移動方向（±Ｘ軸方向）以外の方向の動きを、この保持筐体９５によって規制することができる。
これによって、案内板部９３に対して遮蔽部材９４を、スライド移動方向（±Ｘ軸方向）と交差する方向等にがたつくことなく±Ｘ軸方向に滑らかにかつ安定的にスライド移動させることができる。したがって、遮蔽部材９４のスライド移動の操作性を向上させることができる。
【００５５】
［第２実施形態］
図１２は、遮蔽機構の変形例を模式的に示す上平面模式図である。
第２実施形態におけるプロジェクタは、第１実施形態におけるプロジェクタ１の遮蔽機構９０のみの構成を異にした変形例である。したがって、以下においては、遮蔽機構９０Ａのみを取り上げて説明する。なお、第１実施形態と同一に構成される個所については、同一の符号を付して、その説明を省略する。
【００５６】
すなわち、上述の第１実施形態においては、案内面９３１を備えた案内板部９３は外装筐体２側となる保持部材９１に取り付けられ、遮蔽位置案内部材９６は遮蔽部材９４に設けられて構成されていた。第２実施形態における遮蔽機構９０Ａは、これとは反対に、図１２に示すように、案内面９３１Ａを備えた案内板部９３Ａは遮蔽部材９４に設けられ、遮蔽位置案内部材９６Ａは外装筐体２側となる保持部材９１に取り付けられる。なお、第２実施形態の遮蔽機構９０Ａは、この案内板部９３Ａおよび遮蔽位置案内部材９６Ａに関する取り付け構成が相違するだけであって、他の構成に関しては第１実施形態と同一に構成されている。
【００５７】
具体的には、図１２に示すように、遮蔽機構９０Ａは、上述の第１実施形態と同様、外装筐体２側となる保持部材９１と、遮蔽部材９４とを備える。
遮蔽部材９４には、投射方向となる＋Ｚ軸方向側に案内面９３１Ａを向けた案内板部９３Ａが、開口遮蔽部９４２の下側に設けられている。
また、保持部材９１には、＋Ｚ軸方向側にコイルばね９６１Ａを配し、−Ｚ軸方向側にスチールボール９６２Ａを配して構成された遮蔽位置案内部材９６が、保持部材９１と一体化された保持筐体（不図示）に収納配置されている。
【００５８】
このように構成された遮蔽機構９０Ａによれば、上述の第１実施形態と同様に、遮蔽部材９４は、遮蔽位置案内部材９６Ａにより、遮蔽部材９４に備えられる案内面９３１Ａに沿って好適に案内されながらスライド移動することができる。
【００５９】
なお、本発明に係るプロジェクタは、上述の実施の形態に限定されるものではなく、本発明の趣旨を逸脱しない範囲において、適宜に選択変更して構成されるものであってもよい。
例えば、上述の実施形態の遮蔽位置案内部材は、弾性部材としてのコイルばね９６１と、案内面９３１を転動する転動部材としてのスチールボール９６２とを備えて構成されるものであったが、本発明における遮蔽位置案内部材は、これに限定されることなく、弾性を有した樹脂部材であって、案内面９３１と当接する他端が該案内面９３１を滑らかに摺動するように形成されるものであってもよい。
【００６０】
また、上述の実施形態の弾性部材は、コイルばね９６１で構成されるものであったが、本発明における弾性部材は、これに限定されることなく、弾性を有した適宜の樹脂部材で構成されるものであっても何ら問題のないものとされる。
また、上述の実施形態の転動部材は、スチールボール９６２で構成されるものであったが、本発明における転動部材は、これに限定されることなく、案内面９３１を滑らかに転がる適宜の球体および輪状体を選択して構成されるものであっても何ら問題のないものとされる。
【００６１】
また、上述の実施形態においては、液晶パネル４５１を３つ備えた、いわゆる三板式のプロジェクタを例に挙げて説明するものであった。しかしながら、本発明に係るプロジェクタは、これに限定されるものではなく、液晶パネルを１つ備える単板式のプロジェクタや、液晶パネルを２つ備えるプロジェクタや、液晶パネルを４つ以上備えるプロジェクタとして構成されるものであっても、何ら問題の無いものとされる。
【００６２】
また、上述の実施形態においては、光入射面と光射出面とが異なる透過型の液晶パネルを用いて構成されるものであったが、光入射面と光射出面とが同一となる反射型の液晶パネルを用いて構成してもよい。また、上述の実施形態では、光変調装置として液晶パネルを用いていたが、マイクロミラーを用いたデバイスなど、液晶パネル以外の光変調装置を用いてもよい。この場合は、光束入射側および光束射出側の偏光板４５２，４５３を省略することができる。
【産業上の利用可能性】
【００６３】
本発明に係るプロジェクタは、投射光学装置を保護するための遮蔽部材を備え、遮蔽部材をスライド移動させるにあたっての操作性を向上させたプロジェクタとして利用することができる。
【図面の簡単な説明】
【００６４】
【図１】本発明に係るプロジェクタの外観を模式的に示す外観模式図。
【図２】プロジェクタの内部を示す内部斜視図。
【図３】プロジェクタ（画像投射装置）を模式的に示す模式図。
【図４】アッパーケースの内部側を示す内部側斜視図。
【図５】遮蔽機構を示す分解斜視図。
【図６】遮蔽機構を示す斜視図。
【図７】遮蔽機構を示す上平面図（遮蔽部材は省略、遮蔽位置案内部材は図示）。
【図８】遮蔽機構の一部を示す斜視図。
【図９】遮蔽部材および遮蔽位置案内部材を示す斜視図。
【図１０】遮蔽機構に関してのＺ軸方向断面を示す拡大断面図。
【図１１】開口状態、半開き状態、閉塞状態となっている場合の、遮蔽機構に関する模式図。
【図１２】遮蔽機構の変形例を模式的に示す上平面模式図。
【符号の説明】
【００６５】
１…プロジェクタ、２…外装筐体、２１１…前面開口部（光束通過用開口部）、２１２Ａ…第１操作用開口部、２１２Ｂ…第２操作用開口部、３…投射光学装置、３１…投射位置調整装置、３２…操作ダイアル、３３…画像調整操作部、４…光学ユニット、４１…光源装置、４５…光学装置、４５１…液晶パネル（光変調装置）、４５２…入射側偏光板、４５３…射出側偏光板、４５４…クロスダイクロイックプリズム、５…冷却装置、６…電源装置、７…ランプ駆動装置、８…排気ファンユニット、９０，９０Ａ…遮蔽機構、９１…保持部材、９１１…前面部、９１２…天面部、９１３…投射用開口部、９１４…操作開口部、９３，９３Ａ…案内板部、９３１，９３１Ａ…案内面、９３２…案内平面部、９３３（９３３Ａ，９３３Ｂ）…案内傾斜面部、９３３Ｃ…開口状態当接位置、９３３Ｄ…閉塞状態当接位置、９４…遮蔽部材、９４１…レンズカバー部、９４２…開口遮蔽部、９５…保持筐体、９５２…切り欠き凹部、９６，９６Ａ…遮蔽位置案内部材、９６１，９６１Ａ…コイルばね（弾性部材）、９６２，９６２Ａ…スチールボール（転動部材）、９９…接点検出スイッチ、Ｇ…画像投射装置。
【図１】
2008268716.tif 000003
【図２】
2008268716.tif 000004
【図３】
2008268716.tif 000005
【図４】
2008268716.tif 000006
【図５】
2008268716.tif 000007
【図６】
2008268716.tif 000008
【図７】
2008268716.tif 000009
【図８】
2008268716.tif 000010
【図９】
2008268716.tif 000011
【図１０】
2008268716.tif 000012
【図１１】
2008268716.tif 000013
【図１２】
2008268716.tif 000014